(57)【要約】【課題】            本考案は、室内等の弱光環境下で長期にわたり種々な植物を水又は溶液栽培すると同時に、その栽培された植物の栽培姿勢の乱れを無くし、花なれば美しく、食材ならば美味、清潔に栽培し得る様に構成した事を特徴とする長期植物水又は溶液栽培セットを提供せんとするものである。【課題を解決する為の手段】            上記課題を解決する為に本考案は、先ず耐水性の植物水又は溶液栽培セットを作り、その栽培容器本体の内側全体を光触媒で、又場合に依っては、その被蓋内側面上を光触媒又は鏡面材で被覆して栽培溶液及び栽培環境の活性化、清浄化、殺菌化を図り、正常且つ丈夫な植物の成長を促すと同時に、栽培容器本体内の第１、第フロ−ト上で成長した植物の姿勢の乱れを、特殊なロ−プ式植物成長姿勢維持手段と前記第１、第２フロ−トの押圧力並びに浮力との相乗作用で防止する様に構成した事を特徴とするものである。【選択図】図６
0003121457.tif 000002
【実用新案登録請求の範囲】
【請求項１】
（１）：防水性で所定形状の容器本体内を光触媒で被覆し、（２）：その底部内面上に光触媒を含浸付着させるか又は塗布した所定厚みのスポンジ状多孔性物質を敷き詰めるか敷き詰めず、（３）：その上に、半球体状で内部に所底面積の種床を備えた複数の第１水耕フロ−トと、此のフロ−トを浮上支承する所定数の開孔と光取り込み用細孔とを備えた比重１以下の第２水耕フロ−トとを連結して積み重ね、（４）：適当な袋入り種物、水耕用肥料及び成長植物姿勢安定用ロ−プ手段を充填し、（５）：防水性で丈夫な材質より成り、内面を光触媒又は鏡面材で塗布するか塗布せざる被蓋で密閉した事を特徴とする弱光環境下での長期植物水又は溶液栽培セット。
【請求項２】
上記半球体状第１フロ−トがその外部底面に上記第２フロ−トの開孔に嵌合する円形突起を備えている事を特徴とする請求項１記載の弱光環境下での長期植物水又は溶液栽培セット。
【請求項３】
上記成長植物姿勢安定用ロ−プが一対のクリップ、面ファスナ、掛け金又は貼着テ−プ等の取り付け手段を備えた弾力性ロ−プである事を特徴とする請求項１又は２記載の弱光環境下での長期植物水又は溶液栽培セット。
【考案の詳細な説明】
【技術分野】
【０００１】      本考案は、弱光環境下、特に室内等で種々な植物を長期耐水容器内で水又は溶液栽培（以下水耕栽培と記載する）する植物栽培セットに関する。
【技術背景】
【０００２】      従来、球根植物をガラス瓶等に乗せて室内で水栽培する方法は、学童等の自然観察学習の教材として広く知られており、又カイワレ大根、アルファルファ、各種もやし等を台所等で栽培し、野菜食材の補助材として収穫する方法及び容器も又広く知れれている技術である。
【０００３】      更に又、此の様な植物種子又は球根をセットした折畳式防水型の植物水栽培セットは、以下の特許文献に開示されており、特定企業のギフトプレミヤム商品として流通しているが、此等はあくまでもクリスマスカ−ド或はギフトカ−ドが主体であり、このカ−ドに水栽培容器支承台を折り畳み自在に貼り付けて、前記カ−ド本体を開くと同時にこの容器が出現する様に構成した意外性を強調する単純な植物栽培セットである。【特許文献１】実開公平４−５２４４０
【特許文献２】実開公平４−５２４４１
【考案の開示】
【考案が解決しようとする課題】
【０００４】      上記の如き従来の技術は、殆どが単一若しくは同種植物例えば球根又は葉菜植物のみしか栽培する事が出来ない単純な室内水栽培セットである為に、単なる教材又はギフト用品としてのみ又は簡単な食材の補助源としてしか役立たない技術に過ぎなかった。【０００５】      従って本考案は、此の様な商品を今一歩改良して、単に水を注ぎ適宜水栽培用の肥科を加えるだけで、グリ−ンインテリヤとしても充分通用し、都会生活で疲れ切った心身を日々癒す事が可能であると同時に、小家族であれば、充分多種の特定食材を提供出来る植物室内水耕栽培セットを提供する事を課題とするものである。
【課題を解決する為の手段】
【０００５】        斯の如き目的を達成する為に本考案の長期植物水耕セットは、原則的に（１）：耐水性で所定形状の水耕容器本体内に光触媒を塗布し、（２）：その底面に同じく光触媒を含浸又は塗布した所定厚みの多孔性物質例えばウレタンホ−ムを敷き詰め、（３）：所定厚みで所定数の水耕フロ−ト支承用の開孔と所定数の光取り込み用開孔とを備えた比重１以下の第２フロ−トと、（４）：前記フロ−ト支承用開孔上に載置された種床兼用の所定数の第１水耕フロ−トとを重ねて載置し、（５）：所定栽培植物の種子、水耕用肥料並びに複数対の植物成長姿勢安定用の係止ロ−プを充填し、（６）：耐水性で堅固に前記容器本体と一体的又は別個に成形された被蓋で密閉され、（７）：然もこの被蓋の或るものは、その内面が光触媒又は鏡面材で被覆されている事を特徴とし、；斯くてその栽培時には、内包された種物を、前記第一水耕フロ−トの種床上に播種し、前記容器本体に水を満たした後、必要に応じて内包した水耕用肥料を溶解して栽培し、栽培植物が成長した後は、同封された前記成長植物姿勢安定用ロ−プで夫々の植物の成長姿勢の乱れを矯正する様に構成した事を特徴とするものである。
【考案の効果】
【０００６】      斯くの如くして本考案の植物水耕セットは、以下の如き特別な効果を有している。        （１）：水を容器本体に入れるだけで弱光下（室内）で種々な植物を栽培する事が出来る。        （２）：根菜を除く野菜、花卉、一部の果物（苺、ミニトマト等）を室内又はベランダで栽培出来る。        （３）：栽培セットが携帯型の為、栽培場所を選ばない。        （４）：光触媒を容器本体内に塗布したるので、栽培溶液が腐敗せず、環境内の悪臭を消去すると同時に殺菌効果も発揮する。        （５）：栽培セットの物理的構成から、成長植物の姿勢を安定させる事が出来、鑑賞に耐えるグリ−ンインテリアを造成する。        （６）：日々のストレスが解消され、心理的、生理的癒し効果が大きい。        （７）：ギフト、プレミアム商品として利用出来る。        （８）：台所で栽培出来るので簡単な食材の補給源とも成る。        （９）：家族の自然科学の教材ともなり、生け花の代用品としても利用出来る。
【考案を実施するための最良の形態】
【０００７】      斯くて本考案の植物水耕セットは、弱光下例えば室内での植物水耕栽培セットであるから、可能な限り植物の成長能力を高める為、例えば光触媒を利用して水の活性化を維持しつつ、植物の毛根よりの充分な栄養補給を助けると同時に、空気中の清浄化即ち殺菌、消臭作用を達成し、その葉、柄部での酸素同化作用を強力に補助し、根腐れも起こす事なく順調に植物を成長させ、この成長期の植物を適当な成長姿勢安定用ロ−プで側方より支承し、夫々の栽培列を乱す事なく完全に成長させた後、適宜収穫する様に構成した事を特徴とする。それ故に、此の成長を完全なものとする為に、前記容器本体内側及び被蓋内面上に光触媒を塗布し、可能な限り此等塗布内面が光源からの光に照射される様に配置し、その容器底部といえども前記第２フロ−ト上に開孔された多数の光取り入れ口から照射され得る様に構成した事を特徴とするものである。【０００８】    斯くて本考案の植物水耕セットでは、栽培液の活性化が容器本体内面に塗布された光触媒で、又このセットの置かれた外周環境の浄化並びに活性化は、上記容器本体内上部又は被蓋等に塗布された光触媒と接する接触面上で行われ、その水中、空気中部分を問わず共に植物成長の最適条件を造成して、自然の太陽光線下より劣る弱光条件即ち室内の弱光条件下でも、所望の植物を充分鑑賞し且つ食として提供し得る様に栽培する事が出来る。以下に本考案の実施の態様を図面を参照して詳細に説明する。
【実施例】
【０００９】        本考案の長期植物水耕セット（１）は、主として適当なクッション材、例えば発泡ウレタン等を敷き詰めるか或い敷き詰めざる所望形状の耐水性容器本体（２）内に、セットされた所定形状の第２水耕フロ−ト（５）と、所定数の所定形状例えば種床をその内部に備えた半球体状の水耕用第１水耕フロ−ト（６）と、袋詰め水耕用肥料（７）及び種子（８）とを整然と詰め合わせ、この詰め合わせが乱されない様に、更に前記クッション性パッキングを被せて密閉被蓋した構成より成るものである。【００１０】        此の様なセット（１）の内前記容器本体（２）は、その内表面に光触媒（１３）が塗布又は吹きつけコ−ティングされており、長期にわたる水耕栽培であっても、此等液状媒体の腐敗を防ぎ、常時此を活性化して、栽培される植物の根腐れ並びにあおこの発生を防止し、加えて水面外では、栽培空間の悪臭を吸収し、浮遊するバクテリア及び細菌等を殺菌して、当該容器本体近辺の空間を清浄化する。【００１１】        斯の如き水耕栽培に依る植物の確実且つ有効な成長を行なう為に、上記セットでの水耕栽培に於て、容器本体底部の光触媒も有効に作用させる様に、前記第２フロ−ト（５）には多数の細孔（９）（９）．．．が開孔されており、此の孔を通って室内の自然光及び白熱或は蛍光光源（Ｌ）からの光線が（図５参照）、この触媒に到達し得る様に配慮されている。【００１２】        此の様な植物水耕セット（１）の栽培では、先ずはその被蓋（３）が取り払われて、前記容器本体（２）の台座として使用されるか、或は別の場所に格納される。次いで種袋（７）及び肥料袋（８）が取り出され、前記した蓋付き半球体状の第１フロ−ト（６）（６）．．．の被蓋（１０）（１０）．．．を取り外し、夫々の種床（１１）（１１）．．．．上にスポンジ薄層を敷くか或は直接種子袋（７）の種子を播種し、前記被蓋（１０）（１０）．．．を取り付けて第２フロ−ト（５）上の承け孔（２１）（２１）．．．．上に乘架し、適当な深さにまで水（ｗ）を満たし、必要に応じ肥料袋（８）から肥料を加えて溶解し、適当な期間、水耕栽培を実施する。【００１３】        斯くて植物（２０）は水中（ｗ）に毛根（２２）を成長させると同時に上方には葉柄部（２０’）を伸長させるが、此の際の毛根部は容器本体底部に敷き詰められたスポンジ状パッキング（図示せず）内に喰い込んで伸び、しっかりと纏わり根付かせるのが好ましいが、毛根同士が相互に絡み合うので、必ずしもも此のパッキングは必要な物ではない。【００１４】        一方、上方に伸びた葉柄部（２０）は、開花、結実時期には、その立体的成長姿勢は前後左右に傾き勝ちになるので、此の姿勢の乱れ特に前後の乱れを防止するのが好ましい。斯の如き簡単且つ安価な防止手段は種々考えられるが、本考案の如きフロ−ト栽培では、以下の手段が極めて簡単且つ有効である事が判明している。【００１５】        即ち、此の防止手段は、ロ−プ手段（１８）（１８）に依る植物葉柄えの横向き応力と、第１及び第２フロ−ト（６）（５）に依る上向き浮力とに依る上下左右方向えの圧迫作用を利用する方法である。【００１６】        此等両手段の内ロ−プ手段（１８）（１８）は、適当な弾力性と耐水性とを持��物質であるのが好ましく、夫々の両端には簡単に容器本体の適当個所に固着し得る一対の取り付け手段即ちクリップ型（１７）、引っ掛け型（１７’）又は面ファスナ−或は貼着テ−プ型（１４−１６）等の取り付け具を備えているのが便利である。【００１７】        此等の取り付け器具の内クリップ型（１７）は、最も効率の良い器具であるので、以下の実施例は此の器具を用いた態様を説明するが、勿論図５−６に示す容器本体底部での引っ掛け型（１７）であっても、図３の接着テ−プ若しくは面ファスナ−型（１４−１６）であっても何ら差し支えないが、水分の影響を受けない器具であるのが好ましい。【００１８】        図７には、此のクリップ型ロ−プ手段（１８）（１８）を利用する水耕栽培に於ける植物成長姿勢維持方法が詳述されている。即ち、此の方法に於ては、先ず二本の上記クリップ型ロ−プ手段（１８）（１８）の各一対の弾力性Ｗ−クリップ部（１７）（１７）で容器本体（２）の解放先端を夫々挟み、此等クリップ部底辺上に結ばれ、一方のクリップつまみ部（Ｈ）（Ｈ）内を貫通して相互に連結された夫々一本の弾力性ロ−プ（Ｌ）（Ｌ）で、例えば図７に示す位置に浮上し且つ成長植物（２０）を栽培している第１フロ−ト（６）を、矢印（ｆ４−ｆ４）方向に前記つまみ部を倒す事に依り圧迫し、フロ−ト全体を（ｆ１）方向に押し下げる。一方、此のフロ−ト（６）と第２フロ−ト（５）には、夫々（ｆ２）方向の浮力が掛かっているので、前記二本の弾力性ロ−プ手段（１８）（１８）と栽培養液の表面間に挟まれたフロ−ト（６）全体及び成長植物（２０）には、上下方向及び横方向からの応力が掛かり、しっかりと此等両者の正常浮上姿勢並びに成長姿勢を維持している。此の際、前記クリップつまみ部（Ｈ）（Ｈ）の外側部分は、（ｆ３）方向に倒されて最終的には容器本体（２）の外側側面に密着される【００１９】        此の様な第１及び第２フロ−ト（６）（５）に適応する応力は、栽培植物（２０）の種類及び成長度に依って加減するのが好ましい。例えば、葉菜等の小植物の栽培時には、図３及び図５に示す如く、ただ植物自体の横方向の姿勢の乱れのみを考慮すれば良いが、その草丈が伸び、大容量に成長する植物では、例えその毛根が種床（１１）の細孔（１２）を貫通し、その後培養液内で絡まって第１フロ−ト（６）等の浮上姿勢を多少安定化するとはいえ、上方に伸びる葉柄とのバランスが崩れ、第２フロ−ト（５）の受け孔（２１）上を前後左右に滑動して、植物の成長姿勢を前後左右に乱し、グリ−ンインテリア用として使用する場合には、鑑賞に耐えないものと成る。此の様な点を考慮して、前記クリップ型植物成長姿勢維持手段が最良の手段と考えられるが、他の手段例えば引っ掛け型、面ファスナ−型手段でも、適宜培養液量を増減し、ロ−プの弾力性、成長植物挟持幅等を考慮して使用すれば、充分効果的に利用する事が可能である。【００２０】        此の様に栽培された植物（２０）は、栽培溶液（ｗ）中の光触媒に依って常に清浄に維持され、その根腐も防止されるので、常に生き生きと成長すると同時に、栽培容器本体（２）の内側の空中露出部の光触媒に依って、近辺雰囲気内の悪臭を吸収分解し、浮遊するバクテリヤ等を殺菌するので、此等が栽培される室内、台所等では、生理的にも正常な状態を維持する事が可能である。【００２１】        更に又此の様な植物水耕セット（２）は、図１１に示す如く、夫々の第１フロ−ト（６）（６）．．．．の種床（１１）に小型剣山を間挿して、草花（２０）を差し込み生け花用鉢の代用のフロ−ト式生け花容器として利用する事も出来る。【００２２】        又、第７図に符号（２３）で示す様に、第１フロ−ト（６）の種床底部には、第２フロ−ト（５）に嵌着する為の凸部を設け、此の部分と後者の受け孔（２１）とを強固に連結させ、前記ロ−プ手段の植物成長姿勢安定作用に相乗して、常に安定した浮上姿勢を確保し、室内インテリアとしての美観を維持する様に構成されている。【００２３】        他方、前記植物水耕セット（１）は、各器具即ち第１及び第２フロ−ト（６）（５）、パッキング（２４）、クリップ型ロ−プ手段（１８）、台座（２５）等を収納する容器本体（２）を、所定通りに耐水性で光触媒をその内面に塗布した構造とすると同時に、図８に示す如く、その被蓋部（２’）を引き出し型の構造に形成する事も、又図９の側方係止手段（２６）に、容器本体（２）の一部として形成した片開き被蓋（２’）の端部（２７）を挿入係止する型の容器とする事も、更に又図１０の如く、蓋取手（２８）（２８）で（Ｆ２）（Ｆ２）二方向に開く観音開きの容器としても利用する事が出来るが、共に耐水性で容器本体（２）の内張りには光触媒を塗布し、又開閉型の蓋（２’）の内側面上には鏡面を形成するか、若しくは光触媒を塗布又は吹き付け装着するかする事が好ましく、夫々の効果に依って弱光を反射収束し、周辺雰囲気を消臭し、殺菌し、活性化して間接的に水耕植物の成長を助長する。
【産業上の利用可能性】
【００２４】        斯の如く本考案の水耕栽培セットは、予め準備された耐水性容器内での種々な植物例えば種物葉菜、球根植物、の室内栽培容器として、又場合に依っては、生け花代用容器として使用する事が出来、然も室内でセットされた当該容器内に単に水を注ぎ、所定量の水耕用肥料を加えるのみで、長期にわたり種々な種物を水栽培し、此を鑑賞し又は食用して、実生活から受ける種々なストレスを癒すと同時に、簡便な食材例えば各種葉菜、もやし、場合に依っては苺、トマト等を栽培し且つ自給する事が出来るので、室内、台所等で収穫の喜びを実感し、多少の生活費の削減に役立てる事も出来る。【００２５】        此の様な実利に加え、当該容器本体に使用する光触媒は、単に栽培植物の成長を助けるのみならず、その雰囲気内を脱臭し、バクテリヤ等を殺菌、滅菌すると共に、その環境をマイナスイオン化するので、生理的にも良好な生活環境を造成し、自然環境での生活に飢えた都会人の心身を蘇生させ得ると推測されるので、従来の如く単なる学童の自然観察教材としてに止まらず、一般人の植物栽培、環境浄化、等の意欲をも醸成し、相当の利用が生ずるものと確信される。又、意匠性高き容器で流通させれば、その安価な点を加味して、相当のギフト、プレミヤム商品としての需要も見込み得ると判断される。
【図面の簡単な説明】
【００２６】
【図１】本考案の長期植物水耕栽培セットの斜視図である。
【図２】図１のセットの容器本体の平面図である。
【図３】本考案の水耕セットの一実施態様の断面図である。
【図４】本考案の植物成長姿勢安定用ロ?プ手段を示す正面図である。
【図５】本考案の水耕栽培セットの他の実施態様を示す切断側面図である。
【図６】図５の水耕セットの平面図である。
【図７】本考案の水耕セットの更に他の態様を示す切断側面図である。
【図８】本考案の植物水耕セットの被蓋部の一例を示す一部切断正面図である。
【図９】本考案の植物水耕セットの被蓋部の他の実施態様を示す切断正面図である。
【図１０】本考案の植物水耕セットの被蓋部の更に他の態様を示す切断正面図である。
【図１１】本考案の植物水耕セットを生け花容器として利用する態様を示す切断正面図          である。
【符号の説明】
【００２７】      １        本考案の長期植物水耕セット      ２        容器本体      ５        第２水耕セット      ６        第１水耕セット      ９        光用細孔      １１      種床      １２      種床細孔      １３      光触媒      １７      ｗ−クリップ手段      １８      ロ−プ手段      ２０      栽培植物
【図１】
0003121457.tif 000003
【図２】
0003121457.tif 000004
【図３】
0003121457.tif 000005
【図４】
0003121457.tif 000006
【図５】
0003121457.tif 000007
【図６】
0003121457.tif 000008
【図７】
0003121457.tif 000009
【図８】
0003121457.tif 000010
【図９】
0003121457.tif 000011
【図１０】
0003121457.tif 000012
【図１１】
0003121457.tif 000013